Podtech/llm-jp-corpus-v4-ja_patent huggingface dataset:
(57)【要約】      （修正有）【課題】一般的に多く市販されている糸には糸自体に突起物が無いために伸縮性に乏しく、編む・織る等の加工を施したもの、もしくは強撚糸を使った製品しかなかったが、羊毛を撚る事により生じるらせん状の突起物を形成させた撚糸であって、複数回巻回するか、又は、複数本の撚糸を束ねた集合体からなる事を特徴とするリング状服装品を提供する。【解決手段】羊毛を３０〜４５°の堅撚りにすることにより生じたらせん状の突起物を有する撚糸を束ねたリング状服装品１である。【選択図】図１
0003135865.tif 000002
【実用新案登録請求の範囲】
【請求項１】
糸を撚る事によって生じるらせん状の突起物を形成させた撚糸であって、複数回巻回するか、又は、複数本の該撚糸を束ねた集合体からなる事を特徴とするリング状服装品
【考案の詳細な説明】
【技術分野】
【０００１】本考案は手紡ぎで強く撚りをかけた糸を束ねたものに装飾を加えた製品に関するもの
【背景技術】
【０００２】従来は、羊毛に強い撚りをかけた糸はある。【０００３】撚りをかけたものを伸ばして撚り止めした糸はあり、毛糸を編む・織るなどして、マフラー兼帽子等の服装品としたものはあった。
【特許文献１】特開２００２−２６６１３１
【考案の開示】
【考案が解決しようとする課題】
【０００４】一般に多く市販されていた糸には、糸自体に伸縮性が乏しい
【課題を解決するための手段】
【０００５】本考案は羊毛を撚る事によって生じるらせん状の突起物を形成させた撚糸であって、複数回巻回するか、又は、複数本の該撚糸を束ねた集合体からなる事を特徴とするリング状服装品である。【０００６】本考案は、より変化を富ませる為に従来の手紡ぎ糸に比べ、撚りを強く入れ、撚り止めしないことによりらせん状の突起物が形成できる。この突起物によって伸縮性を持たせ、なおかつ柔らかくボリュームのある糸を作り、その糸を使い製品化した。糸素材は、羊毛・シルク・麻・綿・獣毛・合繊を紡いだものである。【０００７】輪状のサイズを変えることにより、帽子・マフラー・肩掛け等の服装品として多様に応用できる【０００８】羊毛をＳ撚りにし、３０〜４５°程度の堅い撚りにすることによって１０ｃｍ間に約５〜２０個程度のらせん状の突起物が大小形成される。
その突起物によって伸縮性をもたせ、又、毛糸自体の撚りが戻ろうとする力の働きによって柔らかさができボリュームのある糸が形成される。
羊毛はラメ糸等と一緒にＳ撚りにし撚糸にすることもでき、又羊毛に布やレース等の異素材を混ぜながらＳ撚りの撚糸にする事も可能である。【０００９】撚る事によって生じたらせん状の突起物を有する撚糸を。直径１０ｃｍ〜６０ｃｍのリング状に巻回し、そのリングの１ヶ所以上を結束することでリング状服装品とする。リングにする糸は１本でも良いし、複数本でも良く、１０〜１００回巻回することでリングを形成すればよい。
又、１０〜６０ｃｍの長さに撚糸を切断したものを束ねて集合体とし、その両端にフック金具などを取り付けて、そのフック金具を結合することによってリング状服装品としても良い。【００１０】撚糸を束ねた集合体の横断面は円形でも良く、又平板状でも良く、用途に応じてその横断面を選べばよい。
【考案の効果】
【００１１】羊毛を３０〜４５°の堅撚りにすることにより生じたリング状の突起物によって伸縮性を持った糸を使用したことで身体に対し着脱しやすく、編む・織る等の加工をぜず製品化することができる。
【考案を実施するための最良の形態】
【００１２】糸を何重かの輪状にし、１箇所ないしは数箇所で束ね、装飾小物をつけることにより服飾小物にした【００１３】サイズを選ぶことにより、帽子・マフラー・肩掛け等の服装品とすることができる。【００１４】サイズにより、首用の物も頭に装着するなど何通りかの使用も可能である
【実施例】
【００１５】以下実施例により説明する。
図１は毛糸に撚りをかけたらせん状の突起物を有する１本の撚糸を直径１０〜６０ｃｍ、４０回の巻回によりリング状の集合体（２）とし、リングの１ヶ所を結束（３）してリング状服装品（１）とした。【００１６】図２は撚る事によって生じるらせん状の突起物の作り方を示す。
１本の糸を右方向に撚回することにより、糸にはらせん状の突起（６）ができる。撚り回数を調整し、突起の発生する数を調整し、集合体とした時の伸縮性や、ボリューム感のあるふっくらとしたリング状服装品が得られる。
突起物を有する撚糸（５）は撚りが戻らないよう、スチームをかけることにより定着する。【００１７】図３はリング状に束ねた撚糸を切断し、長手方向の両端にフック（４）を取り付けリング状服装品とした【００１８】図４は束ねた集合体の横断面で、円形（ａ）でも平板（ｂ）でも良い
【産業上の利用可能性】
【００１９】本考案は服装産業に利用できるものである。
【図面の簡単な説明】
【００２０】
【図１】リング状服装品を示す図
【図２】らせん状突起物の作り方を示す図
【図３】フック金具により束ねたリング状服装品
【図４】束ねた集合体の横断面を示す図
【符号の説明】
【００２１】１リング状服装品
２集合体
３結束
４フック金具
５らせん状の突起物を有する撚糸
６らせん状の突起物
【図１】
0003135865.tif 000003
【図２】
0003135865.tif 000004
【図３】
0003135865.tif 000005
【図４】
0003135865.tif 000006
(57)【要約】      （修正有）【課題】完全フリーで道糸に巻き癖や撚りが掛からずスムースに道糸が出易く、急な引出しに合うと糸巻きが高速回転しバッククラッシュが発生しないリールを提供する。【解決手段】リールの糸巻きの巻き径を大きく幅の狭い軽量な構造の糸巻き１とした事で解決出来た。急激に糸を引き出しても糸巻きの径が大きい為一回転あたりに出る糸長が長く引き出しに対し糸巻きの回転が少ない事と糸巻きを軽量化した事で感性の質量が小さいので惰性が付きにくく糸巻きの幅が狭い構造の為ラインの巻き取りが均一化される事と相まってバッククラッシュを極力少なく出来た。【選択図】図１
0003135864.tif 000002
【実用新案登録請求の範囲】
【請求項１】
釣り用のリールの糸巻き部分を実用上許される範囲で十分に大きくし幅の狭い軽量な構造の糸巻きとした特徴の釣り用のリール。
【考案の詳細な説明】
【技術分野】
【０００１】糸巻きの径を大きく幅を狭くし軽量化する事で感性の質量を少なくし急に糸を引き出した時でも糸巻きの回転が少なくバッククラッシュが起きにくくかつ糸に巻き癖が付かない構造の釣り用のリール。
【背景技術】
【０００２】道糸に撚りの掛かりにくい構造のリールは有ったが糸の急速な引き出しに合った場合バックラッシュはさけられなかった。
【考案の開示】
【考案が解決しようとする課題】
【０００３】完全フリーで糸を出す事が出来かつバッククラッシュが少なく道糸に巻き癖や撚りが掛からない釣り用のリールの実現。
【課題を解決するための手段】
【０００４】糸巻きの径を実用可能な範囲で従来の物より十分に大きく幅を狭く軽量化する事。
【考案の効果】
【０００５】簡単な構造でバッククラッシュも少ない完全なフリーの流し釣が可能なリールと成った。
【考案を実施するための最良の形態】
【０００６】両軸受けの変形片軸受け構造とし低ギヤ比でドラグの付いた図１の様な構造が良い。
【図面の簡単な説明】
【０００８】
【図１】このリールの試作品を示した側面図である。
【符号の説明】
【０００９】１  大きい径で幅が狭く軽量な糸巻き  ２  低ギヤ比でドラグ付きの本体  ３  竿取り付け台  ４  ハンドル  ５  糸巻き保護ガード
【図１】
0003135864.tif 000003
(57)【要約】      （修正有）【課題】丈の高い作物を害虫から防護するための防護トンネルの提供。【解決手段】接続具１と撓る棒２との組み合わせにより、撓る棒２の長さを変えることで作物の丈に適応し、接続具１と撓る棒２との組み合わせの撓る棒２の両端を地面３に押し込み、アーチを形成する。アーチを複数並べ、袋４で複数のアーチを覆うことにより害虫から作物を防護する。【選択図】図２
0003135866.tif 000002
【実用新案登録請求の範囲】
【請求項１】
撓る棒の端部の外径と同じかやや大きい内径を持つ曲がり難い管の両端に撓る棒をつなぎ合わせてできる支柱
【請求項２】
請求項１により組み合わされた支柱の両端を土中に押し込むことでアーチを形成し、複数のアーチの組み合わせを骨組みとした構築物を上部と両側部が閉鎖し底部のみが開放している袋ですべて覆った構造物
【考案の詳細な説明】
【技術分野】
【０００１】  本考案は、とうもろこしなどの丈の高い作物への害虫の飛来から作物を防護する農業用トンネルに関するものである。
【背景技術】
【０００２】  従来、作物への害虫の飛来を防護するトンネルには、トンネル支柱やグラスファイバー製の棒支柱などによりアーチを形成し、平面構造の不織布、寒冷紗や網目ネットなどで、覆い被せて両端を縛ってアンカーに固定していた。【０００３】  従来のトンネルでは、平面構造の不織布、寒冷紗や網目ネットなどの幅が一般的に１８０ｃｍほどであり、作物の丈が６０ｃｍ以上の作物を完全に覆うことができなかった。また、平面構造の不織布、寒冷紗や網目ネットなどの幅を１８０ｃｍ以上にするとアンカーに固定する時に両端を束ねるのが困難であった。【０００４】  さらに、従来のトンネル支柱やグラスファイバー製の棒支柱の長さは、平面構造の不織布、寒冷紗や網目ネットなどの幅が一般的に１８０ｃｍほどであるため、長いもので２７０ｃｍに制限される。また、従来のトンネル支柱やグラスファイバー製の棒支柱の接続具には容易なものがなかった。
【考案の開示】
【考案が解決しようとする課題】
【０００５】  とうもろこしなどの丈が１００ｃｍ以上に生育する作物を完全に覆うことが可能で、取り外しが容易なトンネル支柱とトンネルを完全に覆うことができてアンカー固定が容易な布の提供を課題とした。
【課題を解決するための手段】
【０００６】  グラスファイバー製などの撓る棒（２）の端部の外径と同じかやや大きい内径を持つ曲がり難い管の接続具（１）の両端へ撓る棒（２）を挿入してつなぎ合わせた支柱の両端を土中に押し込んでアーチを形成し、アーチを複数並べてトンネルの骨組みとする。【０００７】  上部（Ｕ）と両側部（Ｓ）が閉鎖し底部（Ｄ）のみが開放している袋（４）で、複数のアーチを並べた骨組みをすべて覆い、袋（４）の両端下辺（Ｓｄ）を絞り、アンカーに固定する。
【考案の効果】
【０００８】  グラスファイバー製などの撓る棒（２）の端部の外径と同じかやや大きい内径を持つ曲がり難い管の接続具（１）の両端へ撓る棒（２）を挿入してつなぎ合わせた支柱の両端を土中に突き刺してアーチを形成し、アーチを複数並べてトンネルの骨組みとすることで、トンネルの高さを撓る棒（２）の長さを変えることで容易に調整できた。また、組み立ては接続具（１）に撓る棒（２）を挿入するだけで容易であり、アーチを形成している時は外れにくく、アーチを崩して直線状にすると取り外しも容易であった。【０００９】  また、上部（Ｕ）と両側部（Ｓ）が閉鎖し底部（Ｄ）のみが開放している袋（４）により、複数のアーチを並べた骨組みをすべて覆うことが容易であり、袋（４）の両端下辺（Ｓｄ）のみを絞ることで、容易にアンカーに固定することができ、袋（４）の高さに係らず両端下辺（Ｓｄ）を束ねるのは容易であった。
本考案により、とうもろこしなどの丈の高い作物においても、飛来する害虫から作物を容易に防護することができた。
【考案を実施するための最良の形態】
【００１０】  本考案の最良の形態は、図１に示すグラスファイバー製などの撓る棒（２）の端部の外径と同じかやや大きい内径を持つ曲がり難い管の接続具（１）の両端へ撓る棒（２）を挿入してつなぎ合わせた支柱を、図２に示す撓る棒（２）の両端を土中に押し込んでアーチを形成し、アーチを複数並べて図４に示すトンネルの骨組みとし、図３に示す上部（Ｕ）と両側部（Ｓ）が閉鎖し底部（Ｄ）のみが開放している袋（４）により、図４に示す複数のアーチを並べた骨組みをすべて覆い、袋（４）の両端下辺（Ｓｄ）のみを絞りアンカーに固定する。
【実施例】
【００１１】  接続具（１）は、アルミ管などの金属管、硬度プラスティック、木など曲がりにくい素材の管とし、中央部に隔壁や凹みを施したり曲げたりした構造の実施例もある。【００１２】  撓る棒（２）は、グラスファイバー製のほか竹など撓る素材の棒または管とする。【００１３】  袋（４）は、不織布、ビニール、寒冷紗や網目ネットなどとする。また、一般的な幅の１８０ｃｍの布を幅を変えずに長さを半分にして上部（Ｕ）と両側部（Ｓ）を閉鎖し底部（Ｄ）のみが開放している袋とすることで、高さが１８０ｃｍの袋が提供でき、アーチ幅６０ｃｍとした時は高さが１２０ｃｍの袋となる。
【産業上の利用可能性】
【００１４】  本考案は、とうもろこしなどの丈の高い作物へ飛来してくる害虫から作物を防護する栽培に有用である。
【図面の簡単な説明】
【００１５】
【図１】本考案の接続具（１）に撓る棒（２）を接続した平面図
【図２】本考案を接続した支柱を地面に押し込んでアーチにした平面図
【図３】本考案の袋（４）の平面図で、斜線部は閉鎖部分を示す
【図４】本考案の最良の形態の斜視図
【符号の説明】
【００１６】      １    接続具
２    撓る棒
３    地面
４    袋
Ｕ    袋の上部
Ｓ    袋の側部
Ｄ    袋の底部
Ｓｄ  袋の両端下辺
【図１】
0003135866.tif 000003
【図２】
0003135866.tif 000004
【図３】
0003135866.tif 000005
【図４】
0003135866.tif 000006
(57)【要約】      （修正有）【課題】マイク本体に光触媒加工を施し、雑菌や細菌の繁殖を防ぐ。【解決手段】金属素材等やプラスチック素材等により作られたハンディマイクのヘッドケース及びボディに光触媒加工を施し、雑菌や細菌が繁殖を防ぐとともに、毎回殺菌をするという行為を省き経済的負担を軽減できる。従って、非常に衛生的で経済的な効果に役立つ。【選択図】図１
0003135826.tif 000002
【実用新案登録請求の範囲】
【請求項１】
マイクに光触媒（二酸化チタン）加工を施し、紫外線と反応させる事によって、抗菌・消臭・防汚効果を促し衛生的に優れた効果を発揮する事を特徴とした光触媒マイク
【考案の詳細な説明】
【技術分野】
【０００１】  本考案は、光触媒加工を施したマイクに関するものである。
【背景技術】
【０００２】  カラオケ店やイベント会場、ビジネス等で使用したマイクの使用後はアルコール消毒やタオル等で拭くだけで非常に手間もかかり不衛生な状況にあった。
【考案の開示】
【考案が解決しようとする課題】
【０００３】  人が使用したままに放置して置くと、雑菌や細菌が繁殖しやすく非常に不衛生である。また拭いたとしても空気中の細菌に触れることにより不衛生となる。従って、マイクと光触媒（二酸化チタン）反応を一体化する事により非常に衛生的な効果が期待でき、前途の欠点を解決しようとするものである。
【課題を解決するための手段】
【０００４】  本考案は、マイク本体に光触媒加工を施し、マイク本体に付着した細菌を分解する事により問題点を解決している。
【考案の効果】
【０００５】  上述の様に、本考案の光触媒マイクは光触媒加工をマイク本体に施したので、使用後も抗菌・消臭・防汚効果により衛生的に保管でき、しかも効果は半永久的に持続する事により毎回殺菌をするという行為を省き経済的にも役立つ。
【考案の実施するための最良の形態】
【０００６】  マイク本体を使用後、室内に放置しておいても光を吸収する事によって本体に加工してある二酸化チタンが反応し、細菌の元となる有機物を分解する。
【実施例】
【０００７】  以下、添付図面に従って一実施例を説明する。１は金属素材等やプラスチック素材等によって作られたマイク、２は抗菌・消臭・防汚効果により衛生的に保管できるように塗布された光触媒（二酸化チタン）である。【０００８】  本考案の一実施例は上述のマイク本体１はマイク用途としては勿論であるが、光触媒（二酸化チタン）２を塗布して放置しておくだけで使用後も抗菌・消臭・防汚効果により衛生的に保てる。
【図面の簡単な説明】
【０００９】
【図１】本マイクの一部切欠断面図である。
【符号の説明】
【００１０】  １  マイク本体
２  光触媒（二酸化チタン）
【図１】
0003135826.tif 000003
【手続補正書】
【提出日】平成19年4月5日(2007.4.5)
【手続補正１】
【補正対象書類名】実用新案登録請求の範囲
【補正対象項目名】全文
【補正方法】変更
【補正の内容】
【実用新案登録請求の範囲】
【請求項１】
（１）
ハンディマイクのベッドケース及びボディに光触媒の塗布を施し、可視光線と反応させる事によって、抗菌・消臭・防汚効果を促し衛生的に優れた効果を発揮する事を特徴とした光触媒ハンディマイク
【手続補正書】
【提出日】平成19年6月20日(2007.6.20)
【手続補正１】
【補正対象書類名】実用新案登録請求の範囲
【補正対象項目名】全文
【補正方法】変更
【補正の内容】
【実用新案登録請求の範囲】
【請求項１】
ハンディマイクのヘッドケース及びボディに光触媒の塗布を施し、可視光線と反応させる事によって、抗菌・消臭・防汚効果を促し衛生的に優れた効果を発揮する事を特徴とした光触媒ハンディマイク
(57)【要約】      （修正有）【課題】グリップビーサンは趾の接面に加工された凹凸がサンダルの脱げることや、ソール面と足裏が滑る危険性を少なくし、趾の筋力を高め、健康改善を促進させるサンダルの提供。【解決手段】趾の下面に凹凸があるため履いて歩く度に脱げ難く、趾の下面の凹凸は急な動きにも足裏とソール面とは滑り難く、グリップビーサンを履いて歩くことで趾の筋力が改善される。【選択図】図１
0003135824.tif 000002
【実用新案登録請求の範囲】
【請求項１】
サンダルの上面（足の裏に接する面）に於いて、左右の足の趾の第一趾、第二趾、第三趾、第四趾、第五趾の接する面に１ミリメートルから７ミリメートルの範囲で帯状の凹凸、又は点状の凹凸を取付ける。
【考案の詳細な説明】
【考案の詳略名説明】
【産業上の利用分野】
この考案は、サンダルを履いて歩くたび、足の趾が凹凸面を握り締めることで、足の裏とサンダル上面が滑ることが少ない、その為サンダルの脱げることを防ぐ。更に趾の裏面のマッサージの作用がある。
【背景技術】従来のサンダルは足裏と接する面の凹凸だけでは歩くたび脱げる方向に移動することがある。
【考案が解決しようとする課題】
歩くたび足の趾は趾の接面を握り締める運動をする、サンダルを履いて歩くときも、趾はサンダルの上面（以降ソール面という）を握り締める運動をする。趾の握り締める運動を、脱げようとするサンダルを引き戻す力に利用した。
【課題を解決する手段】
本考案は、趾の握り締める運動を、脱げようとするサンダルを引き戻す力に利用した。趾の接面に加工したソール面の凹凸は、趾の握り締める動きが接面の凹凸を趾の下面で引き寄せる。サンダルソール面の趾が接する面を凹凸に加工したサンダルがグリップビーサンである。
【作用】
従来のサンダルの足裏接地面は、平面状または装飾の小さい凹凸または発汗による滑り防止の仕上げソール面であり、趾の下面は平面（フラット）または反り上がりで加工されている。これらのサンダルは急な動きに耐えることが出来ず脱げたり、滑ったりする。これらを解決するため考案とたのが趾の接面に凹凸を付けたグリップビーサンである。更に趾の運動が繰り返すことで趾の筋力が改善され直立姿勢の踵加重が変化し、腰痛の改善（趾の筋力改善データーによる）にも考えられる。
【実施例】なお、実施にあたっては、次のことが考えられる。
（イ）  趾の下面に凹凸があるため履いて歩く度、脱げ難い。
（ロ）  趾の下面の凹凸は急な動きにも足裏とソール面とは滑り難い。
（ハ）  グリップビーサンを履いて歩くことで趾の筋力が改善される。
【考案の効果】
グリップビーサンは履いて歩く度、脱げたり滑ったりする危険は少ない。グリップビーサンは足との密着度が高いため疲労感が比較的少なく履き心地は良い。
【図面の簡単な説明】
【図１】本考案の斜視図である。（１）はソール面の足の趾の第一趾、第二趾、第三趾、第四趾、第五趾の接する面に凹凸を加工した。（２）はソール面である。
【図２】帯状の凹凸の断面図と斜視図である。（１）は、凹凸の上面がソール面と同一面である場合を示したものである。（２）は、凹凸の上面と底面との間にソール面ある場合を示したものである。（３）は、凹凸の下面がソール面と同一面である場合を示したものである。
【図３】点状の凹凸の断面図と斜視図である。（１）は、凹凸の上面がソール面と同一面である場合を示したものである。（２）は、凹凸の上面と底面との間にソール面ある場合を示したものである。（３）は、凹凸の下面がソール面と同一面である場合を示したものである。
【図４】グリップビーサンの上面図と側面図である。（６）は、グリップビーサンを履いたときの趾の位置である。
【符号の説明】
１、足の趾の第一趾、第二趾、第三趾、第四趾、第五趾の接する面。
２、ソール面。
３，４，５，凹凸面からのソール面の位置。
６，グリップビーサンを履いたときの趾の第一趾、第二趾、第三趾、第四趾、第五趾の位置。
【図１】
0003135824.tif 000003
【図２】
0003135824.tif 000004
【図３】
0003135824.tif 000005
【図４】
0003135824.tif 000006
【手続補正書】
【提出日】平成19年3月12日(2007.3.12)
【手続補正１】
【補正対象書類名】明細書
【補正対象項目名】実用新案登録請求の範囲
【補正方法】変更
【補正の内容】
【書類名】                実用新案登録請求の範囲
【請求項１】  グリップビーサンは趾に接する面を凹凸面にしたサンダルである。足の裏に接するサンダルの左右の上面に於いて、足の趾の第一趾、第二趾、第三趾、第四趾、第五趾が接する面を１ミリメートルから７ミリメートルの間隔で帯状の凹凸、又は点状の凹凸にしたグリップビーサンである。
【手続補正書】
【提出日】平成19年6月25日(2007.6.25)
【手続補正１】
【補正対象書類名】実用新案登録請求の範囲
【補正対象項目名】全文
【補正方法】変更
【補正の内容】
【実用新案登録請求の範囲】
【請求項１】
グリップビーサンは足の趾に接する面を凹凸面にしたサンダルである。凹凸の上面において（１）足裏の足幅が接するサンダル表面より０ミリメートルから５ミリメートル低い、（２）足裏の足幅が接するサンダル表面より０ミリメートルから５ミリメートル高い、以上からなるグリップビーサン。
(57)【要約】【課題】自動車の助手席シートのヘッドレストに荷物フックを設け、手提げ袋やカバン等の吊り下げを可能にする。【解決手段】ヘッドレスト１に固定したスライドレール部品３をシート背もたれ２とヘッドレスト１を繋ぐ金具５に固定したスライドレール部品４に嵌め込み、平常時のヘッドレスト位置から荷物フック６使用位置またその逆へ前後スライドを可能にする。又、ヘッドレスト１がむやみに動かないようにヘッドレストの位置をロックするための機構を設け、安全に使用できるようにする。【選択図】図１
0003135830.tif 000002
【実用新案登録請求の範囲】
【請求項１】
荷物フック６を安全に使用しやすくするために、荷物フック６が接続するヘッドレスト１にスライドレール部品３を取り付ける。これに、シート背もたれ２とヘッドレスト１を繋ぐ金具５に固定したスライドレール部品４を嵌め込む。ローラ７による作用で、ヘッドレスト１は前後に数十センチメートルスライドする事が可能になる。これにより荷物フック６を使用したい時には、前にスライドさせ、助手席に同乗者が着座する時には、後にスライドさせる事が出来る。又、本考案の特長は、荷物フック使用時に誤って、助手席に同乗者が着座した場合でも、ヘッドレスト１が前にせり出している事で、荷物フック６が同乗者の頭や首などに当たり、傷つけてしまう事を防げる事である。
【考案の詳細な説明】
【技術分野】
【０００１】
本考案は、自動車室内に於ける、手荷物を安全に吊り下げる事ができる前後可動式ヘッドレストフックに関するものである。
【背景技術】
【０００２】
自動車室内の荷物フックは、シート背もたれの後ろ側に付いていたり、ダッシュボード下部に付けてあったりするが、どれも位置的に使いづらいので、手提げ袋やカバンなどは助手席シートの着座面に置いていた。しかし、急ブレーキや急ハンドル時に着座面から床に転がり落ち、大変危険であった。                                                                                                        
【考案の開示】
【考案が解決しようとする課題】
【０００３】
簡単に安全に自動車室内で使用できる荷物フックを提供する。
【課題を解決するための手段】
【０００４】
本考案は、自動車運転席から最も手荷物を掛けやすい、助手席側ヘッドレスト下部に荷物フックを設け、更に、ヘッドレストを前後可動式にすることで、利便性、安全性を同時に達成するものである。  
【０００５】
本考案の動作は、ヘッドレスト１に取り付けたスライドレール３をシート背もたれ２とヘッドレスト１を繋ぐ金具５に取り付けたスライドレール４に嵌め込み、ローラ７の作用によりヘッドレスト１が前後に可動し、ヘッドレスト１下部に取り付けた荷物フック６に自動車運転席から手荷物を吊り下げることができるものである。
【実施例】
【０００６】
図は本考案による前後可動式ヘッドレストフックの一実施例を示したもので、以下図に基づいて説明する。                                                                                            
【０００７】
スライドレール部品３は、ヘッドレスト１下部に取り付けられている。スライドレール部品４は、ヘッドレスト１とシート背もたれ２を繋ぐ金具５に取り付けられている。スライドレール部品３をスライドレール部品４に嵌め込む。スライドレール部品４のレール嵌め込み溝下部には、スライドレール部品３を滑らせる為のローラ7が設置されている。図4に示したロック解除レバー９を倒すと、軸が回転し、ロック用穴８に嵌め込まれていたロック金具１０が上がり、ロックが解除される。ローラ7の作用により、スライドレール部品3は前方へスライドする。                                      
【０００８】
スライドレール部品3が前方にスライドすることにより、スライドレール部品3に取り付けられたヘッドレスト1も前方にスライドし、ヘッドレスト1に取り付けられた荷物フック6も前方にスライドする。荷物フック6が荷物を吊り下げやすい位置までスライドすると、ロック金具10を上から押し下げるバネ１１の作用により、ロック用穴８にロック金具10が嵌め込まれロックされる。
【０００９】
荷物フック6を使用後は、ロック解除レバー9を倒すと軸が回転し、ロック用穴8に嵌め込まれていたロック金具10が上がり、ロックが解除され、ヘッドレスト1を後方に押すと、スライドレール部品４のローラー7の作用でスライドレール部品３が後方にスライドし、再びロック用穴8にロック金具10が嵌め込まれロックされる。
【図面の簡単な説明】
【００１０】
【図１】前後可動式ヘッドレストフックのシート側面図である。
【図２】シート正面図である。
【図３】スライドレール部品図である。
【図４】ロック部品図である。
【符号の説明】
【００１１】
１    ヘッドレスト
２    シート背もたれ
３    スライドレール部品  雄
４    スライドレール部品  雌
５    ヘッドレスト繋ぎ金具
６    荷物フック                                                                                                                                                                                                                        
７    ローラー
８    ロック用穴
９    ロック解除レバー
１０    ロック金具
１１    バネ
【図１】
0003135830.tif 000003
【図２】
0003135830.tif 000004
【図３】
0003135830.tif 000005
【図４】
0003135830.tif 000006
【手続補正書】
【提出日】平成19年6月6日(2007.6.6)
【手続補正１】
【補正対象書類名】実用新案登録請求の範囲
【補正対象項目名】全文
【補正方法】変更
【補正の内容】
【実用新案登録請求の範囲】
【請求項１】
自動車の助手席シートのヘッドレスト部分に荷物フックを設け、手荷物を簡単に掛けられ、さらに助手席着座時のけがを防止するため、ヘッドレスト部分を前後に可動させ安全性、利便性を両立させることを特長とする前後可動式ヘッドレストフック。
【手続補正書】
【提出日】平成19年8月2日(2007.8.2)
【手続補正１】
【補正対象書類名】実用新案登録請求の範囲
【補正対象項目名】全文
【補正方法】変更
【補正の内容】
【実用新案登録請求の範囲】
【請求項１】
ヘッドレスト本体の下部に荷物フックを有すると共に、ヘッドレスト下部にスライドレールを有することを特長とするヘッドレスト。
(57)【要約】      （修正有）【課題】健康上に有効で、下半身の老化、スポーツ等に必要な筋肉の維持、強化を目的とし、時と場所の制約も少なく、何時でも何処でも、手軽に運動も自分で方法を考え自分に合った体力、体調に応じられる用具の提供。【解決手段】ノンフロン型シリコン滑走剤を薄く吹き付け板面上を底がフェルトの覆物で足を開閉、前後左右の滑走、腰と足の反棯を四方を側板で囲んだ板面上でスライディング運動をすることにより下肢筋肉の強化維持に効果がある。【選択図】図１
0003135823.tif 000002
【実用新案登録請求の範囲】
【請求項１】
板面にノンフロン型ラリコン滑走剤を薄く吹きつけ板面状を底がフェルトの覆物で、短靴かスリッパを使用。板面は表面がアルミ板、裏面が合成樹脂のプラニューム板を使用。四方を側板で囲み転倒防止用枠を取り付ける、板面がアルミ板を使用したのは、帯電性が少なく、静電気が少なく、滑走効果が大である事。この板面上を縦横にスライディングすることにより、この器具の主な目的である下半身の筋肉の保持、維持強化を目的とするもので、その内容として腹肉筋、平目筋、大腿四頭筋、前脛骨筋、大殿筋、大内転筋、大腿二頭筋、腓腹筋、平目筋、アキレス腱、脛間接活約筋、などを板面上で足を開閉脚、前後左右にスライディングさせる事ことにより、筋肉の強化、柔軟、平衡感覚、有酸素運動、反射神経の育成、歩行器を使うことで、下半身障害のスライディングに依る機能回復にも相乗り効果を促すことが出来る。
【考案の詳細な説明】
【技術分野】
【０００１】板面上を足で滑走し反復運動が出来る運動用具に関する物。
【背景技術】
【０００２】従来は用具が動く装置であるが、動力を必要とする用具で場所、収納庫等の施設を必要としていた。
【考案の開示】
【考案が解決しようとする課題】
【０００３】従来は、ランニング器具としてベルトの上をモーターで駆動するかローラーを用い器具として場所的、電力の必要が条件となっていた。
【課題を解決する為の手段】
【０００４】本考案は滑走剤により滑り易くなった板面上にフェルトの覆物で前後左右、開閉脚をスムーズにする。
【考案の効果】
【０００５】自分の意図する運動が円滑に出来る様になった。
【考案を実施する為の最良の形態】
【０００６】板面の四方に側板を添付図の様に取り付け、転倒防止や滑り過ぎ防止に役立てるのと軽量で保管場所も小さく使用するときも広い場所を必要としない。
【実施例】
【０００７】ノンフロン型シリコン滑走剤を薄く吹き付け板面上を底がフェルトの覆物で足を開閉、前後左右の滑走、腰と足の反棯を四方を側板で囲んだ板面上でスライディング運動をすることにより下肢筋肉の強化維持に効果のあることが過去１年間のテスト運動により実証された。
【図面の簡単な説明】
【０００８】
【図１】本考案の斜視図
【図２】本考案の断面図
【図３】側板と板面との断面図
【符号の説明】
【０００９】  １  プラニューム板面
２  側板
【図１】
0003135823.tif 000003
【図２】
0003135823.tif 000004
【図３】
0003135823.tif 000005
【手続補正書】
【提出日】平成19年3月7日(2007.3.7)
【手続補正１】
【補正対象書類名】実用新案登録請求の範囲
【補正対象項目名】請求項１
【補正方法】変更
【補正の内容】
【請求項１】
シリコン滑走剤を表面にコーティングしたプラニューム板と、
前記プラニューム板の四方に取り付けられた側板を備え、
フェルトの覆物を覆いた使用者が前記表面上でスライディング運動することを可能としたスライディングボード。
【手続補正２】
【補正対象書類名】明細書
【補正対象項目名】０００４
【補正方法】変更
【補正の内容】
【０００４】本考案は前後左右・開閉脚運動をスムーズにするための板面にノンフロン型シリコン滑走剤を薄く吹きつけ板面上を底がフェルトの覆物で短靴かスリッパを使用する。板面は表面がアルミ板、裏面が合成樹脂のプラニューム板を使用、四方を側板で囲み転倒防止用枠を取り付ける。板面がアルミ板を使用したのは帯電性が少なく静電気が少なく滑走効果が大である事、この板面上の上を縦横にスライディングする事によりこの器具の主な目的である下半身の筋肉の保持維持強化を目的とするもので、その内容として腹肉筋、平目筋、大腿四頭筋、前脛骨筋、大殿筋、大内転筋、大腿＝頭筋、腓腹筋、平目筋、アキレス腱、脛間接活約筋などを板面上で足を開閉脚、前後左右にスライディングさせる事により、筋肉の強化、柔軟、平衡感覚、有酸素運動、反射神経の育成、歩行器を使う事で下半身障害のスライディングに依る機能回復にも相乗効果を促すことが出来る。
【手続補正書】
【提出日】平成19年6月14日(2007.6.14)
【手続補正１】
【補正対象書類名】実用新案登録請求の範囲
【補正対象項目名】全文
【補正方法】変更
【補正の内容】
【実用新案登録請求の範囲】
【請求項１】
シリコン滑走剤を表面にコーティングした板と、前記板の四方に取り付けられた側板を備え、フェルトの覆物を覆いた使用者が前記面上で、スライディング運動する事を可能にしたスライディングボード。
【手続補正２】
【補正対象書類名】手続補正書
【補正対象項目名】手続補正２
【補正方法】変更
【補正の内容】
【手続補正２】
【補正対象書類名】明細書
【補正対象項目名】０００４
【補正方法】変更
【補正の内容】
【０００４】本考案は前後左右・開閉脚運動をスムーズにする為の板面にノンフロン型シリコン滑走剤を薄く吹きつけ板面上を底がフェルトの覆物で短靴かスリッパを使用する。板面は表面がアルミ板、裏面が合成樹脂を使用、四方を側板で囲み転倒防止用枠を取り付ける。板面がアルミ板を使用したのは帯電性が少なく静電気が少なく、滑走効果が大である事、この板面上の上を縦横にスライディングする事によりこの器具の主な目的である下半身の筋肉の保持維持強化を目的とするもので、その内容として腹筋力、平目筋、大腿四頭筋、前脛骨筋、大殿筋、大内転筋、大腿二頭筋、腓腹筋、アキレス筋、脛間接活躍筋などを板面上で足を開閉脚、前後左右のスライディングさせる事により、筋肉の強化、柔軟、平衡感覚、有酸素運動、反射神経の育成、歩行器を使う事で下半身障害のスライディングに依る機能回復にも相乗効果を促すことが出来る。


【手続補正３】
【補正対象書類名】明細書
【補正対象項目名】０００９
【補正方法】変更
【補正の内容】
【０００９】１    板
２    側板
(57)【要約】      （修正有）【課題】地方車に広告表示器を設置することによって、地方車製作、また地元産業商店についても広く祭りを通しての宣伝を可能にする。【解決手段】地方車の両側面および後面にそれぞれ配置された複数のスクリーン１〜４と、地方車の後部であってこれらスクリーンの内側に配置された各スクリーンへの投写器とからなる複数台の広告表示器を搭載した地方車であって、前記広告表示器は、前もって組み込まれた広告を、一広告ごとに設定された投写時間だけ投写し、自動的に広告が変わることを特徴とする。【選択図】図１
0003135821.tif 000002
【実用新案登録請求の範囲】
【請求項１】
地方車に搭載する脱着自在式広告表示器地方車は、各地で行う祭り等で先頭に出る指揮先導車である。この地方車に広告を出すことによって、地方地元産業、商店も祭りに参加、また、祭りを見に来る多くの人々に地元の産業等を知ってもらうこともできる。同時に、産業商店の発展になる。自らも祭りに参加を認識できる。一台の地方車に数台の広告表示器を搭載し、短時間で数多くの広告を表示できる。
【考案の詳細な説明】
【技術の分野】
【０００１】  本考案は、各地での祭り等の場で多くの観客、参加者に地元の産業商店その他多角的に地元のことを知ってもらい、祭りを盛り上げ、各地の人々に知ってもらうサービスにもなり、地元産業店の繁栄にもなる。
【背景技術】
【０００２】  今までは、地方車を単独の会社、商店の専用車との考えが大半であった。時代も変わり、経費の件等もあり、地方車を出すことも不可能なこともある。改革の波に乗り公共の広告にも参加ができる。
【考案の開示】
【考案が解決しようとする課題】
【０００３】  単独での地方車製作が不可能な団体もあること。公的な広告も出せることにもなった。祭りを通して地元を盛り上げる等のことを解決できれば、祭りは今まで以上にと考える。
【課題を解決するための手段】
【０００４】  本考案は、一台の地方車に数台の広告表示器が搭載できて、地方車の製作にも広告収入によって、今までも製作不可能であった部分にも考案を加え、より祭りらしさを出せる地方車の製作が可能となる。
【考案の効果】
【０００５】  上述のように広告を数多く表示することによって地方車も華やかになり、多くの産業商店も祭りに参加でき、自らも祭りが楽しめる。また、宣伝も可能であり、一石二鳥、三鳥にもなる。
【考案を実施するための最良の形態】
【０００６】  地方車の片側だけでなく、両側に広告表示器を搭載することにより、倍の宣伝が可能となる。一台の地方車により未知数の宣伝効果が得られる。
【実施例】
【０００７】  以下、添付図面に従って一実施例を説明する。図１の１・２・３は、搭載式広告表示器側面スクリーン部分である。【０００８】  図面２は、平面図である。５・６・７・８・９・１０・１１、図１の１・２・３・４はスクリーンへの投写器である。前もって組み込まれた広告を投写する。一広告ごとに投写時間も設定されているので、自動的にスクリーンへの変わった広告が投写される。【０００９】  広告表示器は、取り外し移動可能である。
【図面の簡単な説明】
【００１０】
【図１】地方車本体の側面図である
【図２】地方車本体の平面図である
【符号の説明】
【００１１】  １  スクリーン
２  スクリーン
３  スクリーン
４  スクリーン
５  投写器
６  投写器
７  投写器
８  投写器
９  投写器
１０  投写器
１１  投写器
【図１】
0003135821.tif 000003
【図２】
0003135821.tif 000004
【手続補正書】
【提出日】平成18年11月2日(2006.11.2)
【手続補正１】
【補正対象書類名】実用新案登録請求の範囲
【補正対象項目名】請求項１
【補正方法】変更
【補正の内容】
【請求項１】
地方車に搭載する脱着自在式広告表示器、各地で行う祭り等で先頭に出る指揮先導である、この地方車に広告を出すことによって、地方地元産業又、商店も祭りに参加、祭りを見る多くの人々に地元産業を知ってもらい、産業商店の発展に結び付く、一台の地方車に数台の広告表示器の搭載、短時間に多数の広告を表示が出来る脱着自在式広告表示器。
【手続補正書】
【提出日】平成19年3月13日(2007.3.13)
【手続補正１】
【補正対象書類名】実用新案登録請求の範囲
【補正対象項目名】請求項１
【補正方法】変更
【補正の内容】
【請求項１】
地方車に搭載する脱着自在式広告表示器、ビデオデッキ（映像出力装置）から映像信号を出力し、その信号を液晶テレビ（映像表示装置）に入力する、なお、映像出力装置と映像表示装置の間に特殊効果装置（文字挿入装置）を関連機器として接続することも出来る一台の地方車に数台の広告表示器の搭載、短時間に多数の広告を表示が出来る脱着自在式広告表示器。
【手続補正書】
【提出日】平成19年6月17日(2007.6.17)
【手続補正１】
【補正対象書類名】実用新案登録請求の範囲
【補正対象項目名】請求項１
【補正方法】変更
【補正の内容】
【請求項１】
地方車の両側面および後面にそれぞれ配置された複数のスクリーンと、地方車の後部であってこれらスクリーンの内側に配置された各スクリーンへの投写器とからなる複数台の広告表示器を搭載した地方車であって、前記広告表示器は、前もって組み込まれた広告を、一広告ごとに設定された投写時間だけ投写し、自動的に広告が変わることを特徴とする地方車。
(57)【要約】      （修正有）【課題】にら選別作業において、作業者は長時間の剥ぎとり作業によって肩こり、指先のかぶれなどの苦痛をかかえている。この薄皮剥ぎとり作業を軽減する機器を提供する。【解決手段】はかま部の薄皮剥ぎとりには、エアーブローガンからの圧縮空気を利用する。圧縮空気を効率的にはかま部に集中させるため薄皮除去部１を考案した。この薄皮除去部によって、圧縮空気の流れがはかま部に集中し、瞬時にはかま部の薄皮を吹飛ばすことができる。吹飛ばした薄皮が顔にかからないようフード２を設けた。このフードによって空気の流れは足元に誘導され、快適な作業環境を実現する。【選択図】図１
0003135827.tif 000002
【実用新案登録請求の範囲】
【請求項１】
圧縮空気を半円形パイプの上端から噴出することよって、にらのはかま部の薄皮を吹飛ばす、吹飛ばした薄皮が顔に被らないよう空気の流れを下方に向けるフードを設ける。
【請求項２】
半円形パイプの下端にワンタッチカッターを配置、また、Ｍ寸Ｌ寸表示により、出荷規格にあわせてワンタッチでにらはかま部をカットする。
【考案の詳細な説明】
【技術分野】
【０００１】
この考案は、にらの出荷選別作業の際、除去しにくい薄皮を圧縮空気で簡単に吹飛ばす技術
【背景技術】
【０００２】
従来、にらのはかま部の薄皮除去作業は手作業で行っており、指先の細かい作業が長時間必要であった。また、精の強いにらの汁が指先の皮膚にかぶれ等の悪影響を及ぼしている。
【特許文献１】特開２００３−１５３６７４号公報
【考案の開示】
【考案が解決しようとする課題】
【０００３】
上記にら出荷選別作業時間の短縮および薄皮を完全に除去する。また、作業者の皮膚のかぶれを軽減する
【課題を解決するための手段】
【０００４】
上記課題を解決するために、圧縮空気を半円形状のパイプに上端から吹込むことによって、にらの薄皮に空気の流れを集中して薄皮を吹飛ばす。
【考案の効果】
【０００５】
指先によるにらのはかま部の薄皮除去作業が省かれることにより、作業時間の短縮、指先のかぶれが軽減される。
【考案を実施するための最良の形態】
【０００６】
この考案の実施形態を図１に示す。
１薄皮除去部はパイプを１／４程度縦方向にカットした形状をしており、パイプの上端から噴出される圧縮空気をにらはかま部に集中させる。
２フードは１薄皮除去部で吹飛ばされた薄皮が顔にかからないよう足元に誘導する。
３カッターは４Ｍ寸Ｌ寸表示ににらの葉の先端をあわせて、ワンタッチでカットする。
５エアーブローガンはコンプレッサーからの圧縮空気をコントロールします。
６ワイヤーは足元のペダルまで伸びており、ペダルにて５エアーブローガンのレバーをコントロールします。
【図面の簡単な説明】
【０００７】
【図１】この考案の１実施形態を示す斜視図である。
【符号の説明】
【０００８】
１  薄皮除去部
２  フード
３  カッター
４  Ｍ寸、Ｌ寸表示
５  エアーブローガン
６  ワイヤー
【図１】
0003135827.tif 000003
【手続補正書】
【提出日】平成19年3月28日(2007.3.28)
【手続補正１】
【補正対象書類名】実用新案登録請求の範囲
【補正対象項目名】全文
【補正方法】変更
【補正の内容】
【実用新案登録請求の範囲】
【請求項１】
圧縮空気を半円形パイプの上端から噴出すことよって、にらのはかま部の薄皮を吹飛ばす。吹飛ばした薄皮が顔に被らないようフードで空気の流れを足元に向けたにら選別器シュット。 
【請求項２】
出荷規格Ｍ寸Ｌ寸表示と半円形パイプの下端のワンタッチカッターで、すばやくカットできる特徴をもつ請求項１記載のにら選別器シュット。
【手続補正書】
【提出日】平成19年6月14日(2007.6.14)
【手続補正１】
【補正対象書類名】実用新案登録請求の範囲
【補正対象項目名】全文
【補正方法】変更
【補正の内容】
【実用新案登録請求の範囲】
【請求項１】
圧縮空気を半円形パイプの上端から噴出すことよって、にらのはかま部の薄皮を吹飛ばすにら選別器シュット。
【請求項２】
出荷規格Ｍ寸Ｌ寸表示と半円形パイプの下端のワンタッチカッターで、すばやくカットできる特徴をもつ請求項１記載のにら選別器シュット。
(57)【要約】      （修正有）【課題】布およびそれに類するもの（布状体）に裁断作業を施しやすくする程度の強度を持たせて、両面テープ様の効果のあるもので必要個所を止めて簡便に日除け・カーテンとして利用する。【解決手段】布状体１を必要とする箇所で折り曲げ又は裁断し、両面テープ様粘着体２で適宜布状体同士またはガラス面３或は枠４に貼りつけることにより好みの大きさで簡易に日除け・カーテンとして利用される。【選択図】図２
0003135841.tif 000002
【実用新案登録請求の範囲】
【請求項１】
布およびそれに類するもの（布状体）に予め糊付け状態等によって自在な寸法に折り曲げ・裁断しやすい強度にしたものを、凹凸のあるガラス面等にも接着できる程度の粘着性のある両面テープ様のものを必要箇所のみに使して窓ガラスまたは枠部分に直接貼る、またはカーテン状に加工できるようにしたことを特徴とする簡易日除け。
【考案の詳細な説明】
【技術分野】
【０００１】  本考案は、布及びそれ様のもの（以下、布状体）に安易に折り曲げられる紙程度の強度をもたせ、必要部分のみに接着性を加工の際補うことにより、端の始末等の縫製も必要とせずに簡易に作れる日除けに関するものである。
【背景技術】
【０００２】  窓から入る日光を減ずる手段として、ブラインドやカーテンがあるが価格・寸法にはある程度規定条件があった。又、布自体に接着性をもたせる場合には使用しない接着部分が生じた。
【考案の開示】
【考案が解決しようとする課題】
【０００３】  既存の日除けには上記制限があり、それらを自分で作製する場合には相応の手間がかかった。又、後者の場合には使用されないままの不要となる粘着部分を伴った。これらの点を解決するため本考案では、本体となる布状体に加工しやすいよう安易に折り曲げられる程度の最低限の張りと強度を持たせ、必要部分のみに接着テープ様のものを使用して窓の内側ガラス面または枠に直接貼ったり、カーテン状にして使用することによって布状体の端の始末を要せず無駄なく簡便・安価に同様の効果を得ようとするものである。
【課題を解決するための手段】
【０００４】  本考案は、布状体にあらかじめ糊付け状態又は剥離シート付加等によって自在な寸法に折り曲げ裁断し易い程度の強度にしたものを、加工時必要な部分のみに窓ガラス等の凹凸面にも接着できる程度の粘着性を少なくとも片方に持つ両面テープ様のものを使用してガラス又は枠に直接貼る、また同作業でカーテン状に加工することで好みの場所に好みの大きさの日除け効果を得られるようにして上記問題点を解決している。
【考案の効果】
【０００５】  上記のように、本考案の簡易日除けは日除け効果を得たい場所に、布状体を貼付することによって窓の半分の大きさにも、さらに一部のみの日除けにも使える。簡易であるため従来のカーテンよりはるかに軽く安価に同効果を得られ、吊り下げ式のカーテン状にもすることができる。裏面全面を接着面とするのでなく、使用する大きさを決めた後に必要個所のみに粘着部を設けるため、やり直しもしやすい。窓に直接貼る場合、冬季には寒さを和らげる効果も大きく得られる。
【考案を実施するための最良の形態】
【０００６】  布状体を裁断、また端の部分を折り曲げて始末しやすい程度の強度にしておいたものを、両面テープまたはそれに類するものを必要個所に貼ることで、直接窓ガラス面や枠部分等に接着させ、また同工程でカーテン状にして利用する。通常の布では柔らかく裁断・折り曲げる際に誤差が生じやすく的確に作業しにくかった。しかし、若干強度をつけることにより紙を裁断・折り曲げる時のように作業しやすくなり、さらに凹凸のあるガラス面等にも接着可能となる粘着テープに類するものを使用することで安易にどこにでも自在の大きさで使用できる日除けとなる。
【実施例】
【０００７】  以下、添付図面に従って実施例を説明する。安易に折り曲げられる適度な強度をもたせた布状体１に接着テープの効果を持つも両面テープ様粘着体２を必要個所のみに使用してガラス面３又は枠４に直接貼って使用したりカーテンとしてそのまま使用する。【０００８】  また、上記両面テープ様粘着体２は裏面等に目盛り・切れ目等を入れたシートにして切り取る際にしやすくしてもよい。
【図面の簡単な説明】
【０００９】
【図１】本考案の簡易日除けの実施例正面図である。
【図２】同使用例である。
【図３】実施例粘着部の断面図である。
【符号の説明】
【００１０】１  布状体
２  両面テープ様粘着体
３  ガラス面
４  枠
【図１】
0003135841.tif 000003
【図２】
0003135841.tif 000004
【図３】
0003135841.tif 000005
【手続補正書】
【提出日】平成19年7月6日(2007.7.6)
【手続補正１】
【補正対象書類名】実用新案登録請求の範囲
【補正対象項目名】全文
【補正方法】変更
【補正の内容】
【実用新案登録請求の範囲】
【請求項１】
糊付けすることで自在な寸法に折り曲げ・裁断しやすい強度にした布状体を、凹凸のあるガラス面にも接着できる粘着性を片面に持つ両面テープを必要箇所のみに使用することにより窓ガラス面またはガラス枠部分に直接貼り、又カーテン状にも出来ることを特徴とする簡易日除け。